(57)【要約】【課題】携帯に便利な傘の収納袋を提供する。【解決手段】収納袋本体開口部近傍に指を差し込み、開口支持するループ或いはポケット構造を形成した。開口部の補助布を取り付け開口部を広げるとともに、その下部を開いたままにすることにより、傘を入れ終え補助布を内側にしまった際、補助布に残った水滴を収納袋本体内に取り込むことが出来る。石突を出して入れる傘収納袋の本体下部に、水受けの袋を取り付けた。これらにより、通常にも使用できる傘の収納袋を製作した。【選択図】図４
2009005720.tif 000002
【特許請求の範囲】
【請求項１】
収納袋外側に、指を差しいれ、収納袋の開口部を広げ、収納袋本体を支持する手段を持つ事を特徴とする、傘収納袋。
【請求項２】
請求項１に記載の傘収納袋において、収納袋開口部近傍内側に、フィルム素材や布をその周辺に於いてその一部或いは全体を収納袋本体に縫製などの手段で接合し、その取り付けたフィルム素材や布の覆っている部分の収納袋外側に、スリット或いは穴を形成する事により、収納袋本体を挟んで、同側方向に開口した、開口部を持つ、濡れた傘の収納袋。
【請求項３】
請求項１に記載の傘収納袋において、収納袋本開口部に切れ目を入れ、三角或形状や台形状のフィルム素材や布を、その一辺か或いはその長い底部を上とし、下端に接合されない部分を残したまま、その両側端部分を縫製などの手段で、収納袋本体に接合したことを特徴とする、濡れた傘の収納袋。
【請求項４】
請求項１に記載の傘収納袋において、筒状の袋の一端を絞って傘の石突部分が通る程度の穴とし、石突通し穴上方外側に、ファスナー、面ファスナー等の一時的接合手段を使って、石突と押し穴を覆う、袋を取り付けたことを特徴とする、傘の収納袋。
【請求項５】
請求項１に記載の傘収納袋において、収納袋本開口部に切れ目を入れ、三角或形状や台形状のフィルム素材や布を、その一辺か或いはその長い底部を上とし、下端に接合されない部分を残したまま、その両側端部分を縫製などの手段で、収納袋本体に接合し、加えて筒状の袋の一端を絞って傘の石突部分が通る程度の穴とし、石突通し穴上方外側に、ファスナー、面ファスナー等の一時的接合手段を使って、石突と押し穴を覆う、袋を取り付けたことを特徴とする、傘の収納袋。
【発明の詳細な説明】
【技術分野】
【０００１】
この発明は、傘に付着する水滴の飛散や落下を防止する傘を入れる袋に関する。
【背景技術】
【０００２】
従来、大型店舗などにおいて、濡れた傘を入れるためにポリエチレン等の袋が置いてあるが、傘を入れようとすると指で袋本体開口端を引き上げるほかなく、指自体が濡れることは避けがたい。車内用に作られたものなど、指を濡らさぬ様に作られているものは、特許文献１、２に在る様に全体あるいは部分的に剛性のある素材が使われているため携帯に適さない。袋は一般的にポリエチレンや塩化ビニールなど合成樹脂のフィルム、あるいは撥水か防水加工をした布等が使われている。これらを本文中ではフィルム素材及び布と表記している。
【０００３】
【特許文献１】特許公開平７−１４３９０６号広報
【特許文献２】特許公開２００４−１８１２１３号広報
【発明の開示】
【発明が解決しようとする課題】
【０００４】
傘を収納する袋において、開口保持を容易にすること、及び傘を入れる時、開口端で収納袋本体外側に水滴がもれるのを最小限に抑えること。水滴の漏れない傘の収納袋を作ること。
【課題を解決するための手段】
【０００５】
請求項１の発明は、収納袋外側に、指を差しいれ、収納袋の開口部を広げ、収納袋本体を支持する手段を持つ。
【０００６】
請求項２の発明は、ぬれた傘を収納する袋本体の開口部近辺に、裏に補助布を取り付け、収納袋本体に穴を開け、指を差し入れる構造を形成した。
【０００７】
請求項３の発明は、傘を収納する袋本体の開口部近傍に開口部を広げるため、三角形状或いは台形状の開口拡張補助布を取りつけた。
【０００８】
請求項４の発明は、石突の出た収納袋に石突と押し穴からの水滴を受ける取り外しできる袋を取り付けた。
【０００９】
請求項５の発明は、収納袋本開口部に切れ目を入れ、三角或形状や台形状のフィルム素材や布を、その一辺か或いはその長い底部を上とし、下端に接合されない部分を残したまま、その両側端部分を縫製などの手段で、収納袋本体に接合し、加えて筒状の袋の一端を絞って傘の石突部分が通る程度の穴とし、石突通し穴上方外側に、ファスナー、面ファスナー等の一時的接合手段を使って、石突と押し穴を覆う、袋を取り付けた。
【発明の効果】
【００１０】
請求項１の発明によって指で傘収納袋を開口保持することが容易となる。
【００１１】
請求項２の発明により、スリットに指を差込れ傘収納袋を開口保持することが容易となる。
【００１２】
請求項３の発明により収納袋開口部を広げ、傘の挿入が容易となるとともに、取り付けた補助布を下にして傘を挿入すると、開口端部と傘との接触で外側へ流れ出ようとする傘に付いた水滴を補助布部分で受けることが出き、傘挿入後補助布部分を袋の内側に折りたたんだ際、補助布部分に残った水滴は、補助布下部が接合されていないため、収納袋本体内に入っていく。
【００１３】
請求項４の発明により、通常は石突の出たまま傘の収納袋として使用でき、ファスナー等の一時的接合手段により水受け袋を取り付けた際には、水滴を落下させない濡れた傘の収納袋として使用できる。
【００１４】
請求項５の発明により、傘収納袋を開口保持し、傘挿入時の排水が容易で、濡れた傘収納時に、水滴の漏水を防ぐ。
【発明を実施するための最良の形態】
【００１５】
I以下本発明の実施に形態を図面を用いて説明する。
【実施例１】
【００１６】
指を差込、開口支持できる。
【実施例２】
【００１７】
開口部で溢れた水滴を補助布部分から落下させ、濡れた補助布部分はその後、袋の内側に収納し、補助布残った水滴は、株の開口部から、収納袋内に流れ込む。
【実施例３】
【００１８】
傘からの水滴の飛散を防ぐ。
【実施例４】
【００１９】
傘収納袋を開口保持し、傘挿入時の排水が容易で、濡れた傘収納時に、水滴の漏水を防ぐ。
【図面の簡単な説明】
【００２０】
【図１】傘収納袋の開口支持の実施法を示した開口部の斜視図（実施例１）
【図２】傘収納袋の開口部拡張の実施法を示した開口部の斜視図（実施例２）
【図３】傘収納袋の水滴落下防止部の実施を示した収納袋下部の斜視図（実施例３）
【図４】収納袋全体の斜視図（実施例４）
【符号の説明】
【００２１】
１          傘収納袋本体
２ａ、２ｂ  内側補助布
３ａ、３ｂ  指差しこみスリット
２１      傘収納袋本体
２２        開口拡張補助布
２２ａ、２２ｂ  補助布接合部
２２ｄ        下端補助布開口部
３１          傘収納袋本体
３１ｄ        石突通し穴
３２          水受け袋
３４          ファスナー
４１      傘収納袋本体
４１ｄ      石突通し穴
４２ａ、４２ｂ開口拡張補助布
４２ｄ、４２ｅ        下端補助布開口部
４３        指差しこみ保持部
４４        ファスナー
４５          水受け袋
【図１】
2009005720.tif 000003
【図２】
2009005720.tif 000004
【図３】
2009005720.tif 000005
【図４】
2009005720.tif 000006